(57)【要約】【課題】レンズホルダの内部にプラスチックレンズがあっても熱カシメを行なうことができるレンズ組立体を提案する。【解決手段】レンズホルダ１の前端面の開口が最前端面側に配列されたレンズ１０Ａの外形よりも小径の開口のレンズホルダ１内に４群構成のレンズ１０Ａ〜１０Ｄを挿入する。４群構成のレンズに加えて、最後端面側のレンズ１０Ｄの、さらに後端面側に、その最後端面側のレンズ後面の周縁部に当接してその後面とその後端面との間隔を保つ間隔環１１を挿入し間隔環１１の後面から熱かしめによりレンズホルダ１に間隔環１１を保持させることで４群構成のレンズ１０Ａ〜１０Ｄをレンズホルダ１内に整列させた状態にして収容する。【選択図】        図５
2008216708.tif 000002
【特許請求の範囲】
【請求項１】
複数のレンズからなるレンズ群と、
前端面と後端面とに開口を有し前記レンズ群を収容するレンズホルダとを備え、
前記レンズホルダの前端面の開口が最前端面側に収容されたレンズの外径よりも小径の開口であって、
前記レンズホルダの最後端面側に収容されたレンズの、さらに後端面側に、該最後端面側に収容されたレンズ後面の周縁部に当接して該後面と該レンズホルダの該後端面との間隔を保つ間隔環を備え、
前記レンズホルダが、前記間隔環の後面を熱かしめにより保持してなるものであることを特徴とするレンズ組立体。
【請求項２】
前記レンズホルダが、該レンズホルダの後端面に、前記レンズ群の光学的位置調整の基準となる、該後端面の開口を取り巻いて断続的に複数箇所に形成された基準面を有し、該レンズホルダが、前記間隔環を、該基準面同士の間で熱かしめにより保持してなるものであることを特徴とする請求項１記載のレンズ組立体。
【請求項３】
前記レンズ群の、少なくとも最後端面側に収容されたレンズがプラスチックレンズであることを特徴とする請求項１記載のレンズ組立体。
【請求項４】
請求項１記載のレンズ組立体と撮像素子とを備えたことを特徴とする撮影装置。
【発明の詳細な説明】
【技術分野】
【０００１】
本発明は、複数群構成のレンズを収容するレンズ組立体およびそのレンズ組立体を備えた撮影装置に関する。
【背景技術】
【０００２】
従来より、撮像素子等のセンサに被写体光を結像させるための撮像レンズが内部に組み込まれたレンズ組立体が知られている。このようなレンズ組立体の中には、レンズ枠とレンズホルダとに、それぞれ、精密に螺合する雄ネジと雌ネジとを設けてレンズホルダとレンズ枠との係合部の構造を簡素化して小型化を図るとともに、レンズ枠をレンズホルダに螺入していくことによって光軸あわせと焦点調整との双方を簡単に行なうことができるようにしたものがある。このような構造であると、非常に小型にすることができるので携帯機器や自動車などへの搭載に適したレンズ組立体になる。
【０００３】
この超小型のレンズ組立体にあっては、レンズ枠を固定する機構を別途設けるとレンズホルダが大型化するので、レンズ枠がレンズホルダに接着剤で固定されるものが多い。このため、レンズホルダには大抵、余分な接着剤を受け入れるための小さな接着剤溜が設けられている。
【０００４】
しかし、上記のような超小型のレンズ組立体においては、携帯機器の更なる小型化に伴ってレンズホルダに小さな接着剤溜さえ設けることができなくなってきているのが現状である。もしもレンズホルダに接着剤溜を設けることができないと、作業者がよほど注意深く作業を行なわない限り、余分な接着剤がレンズ部に流れ込んでレンズ表面に接着剤が付着してしまう。
【０００５】
ところで、最近、携帯機器のケース等にプラスチックが用いられることが多くなってきたので、プラスチックのケース内に部材が装填された後、熱かしめによりケースの一部をかしめてそのケースに内部の部材を保持させることで組立の簡単化を図ることが考えられる。
【０００６】
上記レンズ組立体にも特許文献１の技術の如くその熱かしめの技術を適用することができると、作業が一段と楽なり、作業効率が向上する。しかしながら、レンズの材質もプラスチックが主流になってきており、熱カシメを行なうとレンズホルダ内部のプラスチックレンズまでもが変形してしまう恐れがある。
【０００７】
また、プラスチックレンズが射出成形で製作されている場合には、樹脂を成形型内に流入させるためのゲートを配置する部分がどうしてもレンズの外形内に位置してしまうため、レンズの仕上がり形状が図１に示す様なＤカット形状になってしまう。
【０００８】
図１は、Ｄカット形状のプラスチックレンズ２１とそのプラスチックレンズ２１がレンズ組立体２が備えるレンズホルダ２０の後端面側に位置した場合の外観を示す図である。
【０００９】
図１に示すＤカット形状のプラスチックレンズ２１がレンズホルダ２０の後端面側に収容されると、図１に示す様にレンズホルダ２０とプラスチックレンズ２１のＤカット部との間にスペースが生じてしまう。このため、カシメ工具によりレンズホルダ２０の後端面側から熱カシメを行なおうとしてそのスペース近傍に工具先端をかけてしまうと、レンズホルダ２０ががたついてレンズホルダ自体が変形してしまう恐れがある。
【特許文献１】特開平８−１３６７８３号公報
【発明の開示】
【発明が解決しようとする課題】
【００１０】
本発明は上記問題点を解決し、レンズホルダの内部にプラスチックレンズがあっても熱かしめを簡単かつ確実に行なうことができるレンズ組立体およびそのレンズ組立体を備えた撮影装置を提供することを目的とするものである。
【課題を解決するための手段】
【００１１】
上記目的を達成する本発明のレンズ組立体は、複数のレンズからなるレンズ群と、
前端面と後端面とに開口を有し前記レンズ群を収容するレンズホルダとを備え、
上記レンズホルダの前端面の開口が最前端面側に収容されたレンズの外径よりも小径の開口であって、
上記レンズホルダの最後端面側に収容されたレンズの、さらに後端面側に、その最後端面側のレンズ後面の周縁部に当接してその後面とレンズホルダの後端面との間隔を保つ間隔環を備え、
上記レンズホルダが、上記間隔環の後面を熱かしめにより保持してなるものであることを特徴とする。
【００１２】
上記本発明のレンズ組立体によれば、上記レンズホルダ内の最前端面側に収容されたレンズをレンズホルダ前端面の開口側に突き当てた状態にしてレンズホルダの後端側に収容された間隔環の後面から熱かしめによりかしめが行われると、レンズホルダによって間隔環が保持されレンズホルダ内の複数のレンズ群がレンズホルダ内に収容される。
【００１３】
上記構成によれば上記間隔環が最後端面側に挿入されその間隔環がプラスチックレンズとの緩衝部材として働くので後端面側から熱かしめが行なわれてもプラスチックレンズに熱が伝わりにくく、レンズホルダ内部のプラスチックレンズの変形が防止される。また、レンズホルダの後端面側にＤカット形状のプラスチックレンズがあってもそのＤカット形状のプラスチックレンズよりも後端面に挿入された間隔環によって熱かしめ工具の先端がかかる部分の平面度が保たれるようになるので、レンズホルダ自体が変形することも防止される。
【００１４】
さらには、前述したように熱かしめにより複数のレンズがレンズがホルダ内に収容されるのでレンズホルダに余計な収容機構を設ける必要がなくなってホルダ自体の小型化を図ることができるという効果が得られる。
【００１５】
ここで、上記レンズホルダが、そのレンズホルダの後端面に、上記レンズ群の光学的位置調整の基準となる、その後端面の開口を取り巻いて断続的に複数箇所に形成された基準面を有し、そのレンズホルダが、上記間隔環を、その基準面同士の間で熱かしめにより保持してなるものであることが好ましい。
【００１６】
従来よりレンズホルダには、レンズホルダを撮影装置内部等に組み込むときのために撮影装置側のレンズマウントの基準面と接してレンズホルダ内のレンズの光軸を正しい方向に向けることができるように後方端面にレンズの光軸と略直交する光軸調整用の基準面が設けられているものが多い。そこで本発明においては、これを利用してその基準面を断続的に切り欠いて複数箇所に基準面を形成するとともに切り欠いたところを熱かしめ用の爪にして、断続的に形成された複数箇所の基準面を基準にして各レンズの光軸の方向を合わせながら熱かしめを行なうことができるようにしている。
【００１７】
そうすると、レンズホルダが、上記間隔環を、レンズホルダの基準面同士の間で熱かしめにより保持することになるので、レンズホルダに収容された間隔環の後端面と上記基準面とをほぼ面一にすることでレンズホルダ内の複数のレンズを整列させ、光軸の方向をその基準面に対して略直交する方向にきちんと向けた状態にしてレンズホルダ内に収容することが可能となる。また、熱かしめによりレンズホルダが複数のレンズを保持した後においては、上記基準面を、鏡胴等に組み込むときの基準として利用することもできる。
【００１８】
ここで上記した様にレンズホルダの後端面側に間隔環が挿入されるので、上記レンズ群の、少なくとも最後端面側に収容されたレンズはプラスチックレンズであっても良い。
【００１９】
また上記目的を達成する本発明の撮影装置は、本発明のレンズ組立体と撮像素子とを備えたことを特徴とする。
【００２０】
そうすると、本発明の、小型化が図られたレンズ組立体を撮影装置に組み込むことで撮影装置の小型化を図ることが可能となる。
【発明の効果】
【００２１】
以上、説明したように、内部にプラスチックレンズがあっても熱かしめを行なうことができるレンズ組立体およびそのレンズ組立体を備えた撮影装置が実現する。
【発明を実施するための最良の形態】
【００２２】
以下図面を参照して本発明の実施の形態を説明する。
【００２３】
図２は、本発明のレンズ組立体１と撮像素子が組み込まれた撮影装置の一例であるカメラ付き携帯電話機３の外観を示す図である。図２（ａ），（ｂ）に示すカメラ付携帯電話機３には、図２（ｃ）に示す撮影装置３０が組み込まれている。この図２（ｃ）に示す撮影装置３０には、本発明のレンズ組立体とカバーガラス３１と撮像素子３２とが備えられている。
【００２４】
図３は、熱かしめが行なわれる前の、図２のカメラ付き携帯電話機３に用いられているレンズ組立体１の外観を示す図であり、図４は、図３のレンズ組立体１の左側を正面としたときの正面図、側面図、Ｄ−Ｄ矢視図、背面図であり、図５は、熱カシメが行なわれた後の、レンズ組立体１の外観を示す図であり、図６は、図５のレンズ組立体１の左側を正面としたときの正面図、側面図、Ｄ−Ｄ矢視図、背面図である。
【００２５】
図３、図５においては、図の左側が、被写体側になり、図の右側が撮像素子側になる。以降の説明においては、前後という方向の記載がある場合には、被写体側を前方として図３、図５の左側を前方、図３、図５の右側を後方とする。
【００２６】
図３〜図６に示すレンズ組立体１が備えるレンズホルダ１０は、中空構造になっており、前端面と後端面とにはそれぞれ開口が設けられている。そのレンズホルダ１内には４群構成のレンズ１０Ａ〜１０Ｄが収容されている。レンズホルダ１０の前端面の開口は、レンズホルダ１０の最前端面側に配列されたレンズ１０Ａの外形よりも小径の開口であってその最前端面のレンズ１０Ａは後端面側からその小径の開口側に突き当てられるようにしてレンズホルダ内に挿入される。以降第２群のレンズ１０Ｂ、第３群のレンズ１０Ｃ、第４群のレンズ１０Ｄが次々にレンズホルダ内に挿入される。
【００２７】
さらに、本実施形態においては後端面側のレンズ１０Ｄがプラスチックレンズであってレンズホルダ１０の後端面側から熱かしめが行なわれるとそのプラスチックレンズが変形してしまうので、レンズホルダ１０の最後端面側のレンズ１０Ｄの、さらに後端面側には、その最後端面側のレンズ後面の周縁部に当接してその後面とその後端面との間隔を保つ間隔環１１が挿入されている。
【００２８】
この間隔環１１が挿入されると、熱かしめが後端面側から行なわれたとしても間隔環１１が緩衝部材となり、後端面側のレンズ１０Ｄがたとえプラスチックレンズであったとしてもそのプラスチックレンズに熱が伝わり難くなる。また図１に示す様に後端面側のレンズ１０ＤがＤカット形状のプラスチックレンズであっても間隔環１１が挿入されたことにより後端面の平面度が間隔環の面により保たれるようになるので、かしめ工具の先端部がどの部分にかかってもホルダががたついてホルダ自体が変形することがほぼなくなる。
【００２９】
さらにレンズホルダ１０の後端面には、レンズ群の光学的位置調整の基準となる、後端面の開口を取り巻いて断続的に複数箇所に形成された基準面１２が設けられており、その基準面１２同士の間に熱カシメ用の爪１３が設けられているので、熱カシメ用の爪１３がカシメ工具によりかしめられると、図５、図６に示す様に、爪１３が間隔環１１の後端面とほぼ面一になって、４群構成のレンズ１０Ａ〜１０Ｄおよび間隔環１１をレンズホルダ内に整列させることにより各レンズの光軸を基準面１２に対してほぼ直交する方向にきちんと向けた状態にしてレンズホルダ内に収容することができる。
【００３０】
図５、図６には、熱カシメ用の爪１３がカシメ工具によりかしめられた後のレンズ組立体の状態が示されている。
【００３１】
図５、図６（ｃ）に示す様に、基準面１２上に倒れこんだ爪１３によって間隔環１１の後端面とレンズホルダ１０の基準面とがほぼ面一になるようにして間隔環１１がレンズホルダ１０に保持されるので、複数のレンズ群がレンズホルダ１０内に整列するとともに各レンズの光軸が同一方向を向いた状態できちんと収容されることとなる。
【００３２】
以上説明した様に、レンズホルダの内部にプラスチックレンズがあっても熱カシメを行なうことができるレンズ組立体が実現する。
【図面の簡単な説明】
【００３３】
【図１】Ｄカット形状のプラスチックレンズ２１とそのプラスチックレンズ２１が後端部に位置した場合の外観を示す図である。
【図２】本発明のレンズ組立体１と撮像素子が組み込まれた撮影装置の一例であるカメラ付き携帯電話機２の外観を示す図である。
【図３】熱かしめが行なわれる前の、レンズホルダ１０の外観を示す図である。
【図４】図２のレンズホルダ１０の右側を正面としたときの正面図、側面図、Ｄ−Ｄ矢視図、背面図である。
【図５】熱カシメが行なわれた後の、レンズホルダ１０の外観を示す図である。
【図６】図４のレンズホルダ１０の右側を正面としたときの正面図、側面図、Ｄ−Ｄ矢視図、背面図である。
【符号の説明】
【００３４】
１    レンズ組立体
１０，２０    レンズホルダ
１１    間隔環
１２    基準面
１３    かしめ用の爪
１０Ａ    第１群
１０Ｂ    第２群
１０Ｃ    第３群
１０Ｄ    第４群
２０    Ｄカット形状のレンズ  
【図１】
2008216708.tif 000003
【図２】
2008216708.tif 000004
【図３】
2008216708.tif 000005
【図４】
2008216708.tif 000006
【図５】
2008216708.tif 000007
【図６】
2008216708.tif 000008